(57)【要約】【課題】定期的に決められた時間帯に放送される番組を繰り返し録画する機能を用いて番組を録画する際に、ユーザが視聴していない録画番組上に、新たな番組が上書きして録画されることを防止することができるディジタル記録再生装置を提供することを目的とする。【解決手段】繰り返し録画予約により録画した番組の再生状態を記憶し、録画番組が再生されていれば、当該録画番組上に録画予約された番組を上書きして録画し、録画番組が再生されていなければ、当該録画領域とは別に、新たな録画領域を確保して録画予約された番組を録画する。【選択図】　　　図３
2004088634.tif 000002
【特許請求の範囲】
【請求項１】
ランダムアクセス可能な記録媒体内に、定期的に決められた時間帯に放送される番組を繰り返して録画するための録画領域を予め確保し、該確保した録画領域に対して録画予約された番組を繰り返して録画する予約録画機能を有するデジタル記録再生装置において、
外部から命令を入力する入力手段と、
前記入力手段に入力される再生命令に基づいて、前記録画領域に録画された番組を再生するとともに、当該番組を再生したことを示す再生情報を前記記録媒体に記録する読み出し手段と、
前記再生情報に基づいて、前記録画領域に録画された番組が既に再生済みか否かを判別する再生状態判別手段と、
前記記録媒体にデータの書き込みを行なう書き込み手段と、
装置全体を制御するＣＰＵと、を備え、
前記ＣＰＵは、前記予め確保した録画領域に録画予約された番組を録画後、さらに繰り返して該番組を録画する場合には、前記再生状態判断手段の判断結果に基づいて、前記録画領域に録画された番組が再生済みであると判断した時には、前記予め確保した録画領域に録画予約された番組を上書きして録画し、前記録画領域に録画された番組が未再生であると判断した時には、新たな録画領域を確保して該新たな録画領域に該番組を録画する、
ことを特徴とするデジタル記録再生装置。
【請求項２】
請求項１に記載のディジタル記録再生装置において、
前記読み出し手段は、前記新たに確保された録画領域に録画された番組が再生された後に、当該録画領域を開放する、
ことを特徴とするデジタル記録再生装置。
【請求項３】
請求項１に記載のディジタル記録再生装置において、
前記記録媒体は、録画済み番組の録画日付を保持し、
前記録画領域に録画された番組が未再生であると判断された場合において、新たな記憶領域を確保できないときには、前記ＣＰＵが、前記録画日付の古い番組が録画されている録画領域上に、録画予約された番組を上書きして録画する、
ことを特徴とするデジタル記録再生装置。
【請求項４】
ランダムアクセス可能な記録媒体内に、定期的に決められた時間帯に放送される番組を繰り返して録画するための録画領域を予め確保し、該確保した録画領域に対して録画予約された番組を繰り返して録画する予約録画機能を有するデジタル記録再生装置において、
外部から命令を入力する入力手段と、
前記入力手段に入力される再生命令に基づいて、前記録画領域に録画された番組を再生するとともに、当該番組を再生したことを示す再生情報を前記記録媒体に記録する読み出し手段と、
前記再生情報に基づいて、前記録画領域に録画された番組が既に再生済みか否かを判別する再生状態判別手段と、
前記記録媒体にデータの書き込みを行なう書き込み手段と、
装置全体を制御するＣＰＵと、を備え、
前記ＣＰＵは、前記予め確保された録画領域とは別に、前記予め確保された録画領域と同じ録画時間を有する１以上の予備の録画領域を予め前記記録媒体中に確保し、
前記予め確保した録画領域に録画予約された番組を録画後、さらに繰り返して該番組を録画する場合には、前記ＣＰＵが前記再生状態判断手段の判断結果に基づいて、前記録画領域に録画された番組が再生済みであると判断した時には、前記予め確保した録画領域に録画予約された番組を上書きして録画し、前記録画領域に録画された番組が未再生であると判断した時には、前記１以上の予備の録画領域の何れかに、該番組を録画する、
ことを特徴とするデジタル記録再生装置。
【請求項５】
請求項４に記載のディジタル記録再生装置において、
前記記録媒体は、録画済み番組の録画日付を保持し、
前記録画領域及び前記１以上の予備の録画領域のすべてに番組が録画され、録画された番組のすべてが未再生の場合には、前記ＣＰＵが、前記録画日付の古い番組が録画されている録画領域上に、録画予約された番組を上書きして録画する、
ことを特徴とするデジタル記録再生装置。
【請求項６】
ランダムアクセス可能な記録媒体内に、定期的に決められた時間帯に放送される番組を繰り返して録画するための録画領域を予め確保し、該確保した録画領域に対して録画予約された番組を繰り返して録画する予約録画機能を有するデジタル記録再生装置において、
外部から命令を入力する入力手段と、
前記入力手段に入力される再生命令に基づいて、前記録画領域に録画された番組を再生するとともに、当該番組を再生したことを示す再生情報を前記記録媒体に記録する読み出し手段と、
前記再生情報に基づいて、前記録画領域に録画された番組が既に再生済みか否かを判別する再生状態判別手段と、
前記記録媒体にデータの書き込みを行なう書き込み手段と、
装置全体を制御するＣＰＵと、を備え、
前記ＣＰＵは、前記予め確保された録画領域とは別に、繰り返し録画予約用に共通の一定の記憶容量を有する１以上の共通録画領域を予め前記記録媒体中に確保し、
前記予め確保した録画領域に録画予約された番組を録画後、さらに繰り返して該番組を録画する場合には、前記再生状態判断手段の判断結果に基づいて、前記ＣＰＵが前記録画領域に録画された番組が再生済みであると判断した時には、前記予め確保した録画領域に録画予約された番組を上書きして録画し、前記録画領域に録画された番組が未再生であると判断した時には、前記１以上の共通録画領域の何れかに録画予約された番組が収まるように該番組をビットレートを変更して録画する、
ことを特徴とするデジタル記録再生装置。
【請求項７】
請求項６に記載のディジタル記録再生装置において、
前記記録媒体は、録画済み番組の録画日付を保持し、
前記録画領域及び前記１以上の共通録画領域のすべてに番組が録画され、録画された番組のすべてが未再生の場合には、前記ＣＰＵが、前記録画日付の古い番組が録画されている録画領域上に、録画予約された番組を上書きして録画する、
ことを特徴とするデジタル記録再生装置。
【請求項８】
請求項１乃至請求項７の何れかに記載のディジタル記録再生装置において、
定期的に決められた時間帯に放送される番組を繰り返し録画する際に、前記ＣＰＵが、前記入力手段に入力される命令に基づいて、一時的に、録画領域に録画された番組の上書き録画を行なわずに、毎回新たな録画領域を確保して録画予約された番組を録画する、
ことを特徴とするデジタル記録再生装置。
【請求項９】
請求項８に記載のディジタル記録再生装置において、
前記記録媒体は、録画済み番組の録画日付を保持し、
前記ＣＰＵは、前記毎回新たな録画領域を確保して録画予約された番組を録画する場合において、新たな録画領域を確保できないときには、前記録画日付の古い番組が録画されている録画領域上に、録画予約された番組を上書きして録画する、
ことを特徴とするデジタル記録再生装置。
【発明の詳細な説明】
【０００１】
【発明の属する技術分野】
本発明は、ランダムアクセス可能な記録媒体を用いるデジタル記録再生装置に関し、特に、ランダムアクセスの特徴を活かした繰り返し番組録画を行うデジタル記録再生装置に関する。
【従来の技術】
従来この分野のデジタル記録再生装置としては、ハードディスク等のランダムアクセス可能な記録媒体を用いたデジタル記録再生装置が提案されており、その一例が、特開２００１−１６７４９１号公報に開示されている。これは、毎週同じ時間帯の番組を自動的に同じ領域に上書きして繰り返し録画するという繰り返し録画機能を有するものであり、同じ時間帯に放送されるドラマ等の番組を一度の録画予約により自動的に録画することができるものである。
【０００２】
【発明が解決しようとする課題】
しかしながら、このような従来の繰り返し録画機能を用いたデジタル記録再生装置は、毎週同じ時間帯の番組を自動的に同じ領域に上書きして録画を行なうため、前の週の録画済み番組をユーザが視聴したか否かにかかわらず、次の週の番組を上書きして録画してしまい、前の週の録画番組をユーザが視聴していなかった場合には、当該前の週の録画番組をユーザは視聴することができないこととなるという問題点を有していた。
【０００３】
本発明は、前記問題点に鑑みてなされたものであり、繰り返し録画機能を用いて番組を録画する際に、ユーザが録画番組を視聴したか否かに基づいて、自動的に、録画予約された録画番組の録画位置を変更することができるディジタル記録再生装置を提供することを目的とする。
【０００４】
【課題を解決するための手段】
前記課題を解決するために、本発明にかかるデジタル記録再生装置は、ランダムアクセス可能な記録媒体内に、定期的に決められた時間帯に放送される番組を繰り返して録画するための録画領域を予め確保し、該確保した録画領域に対して録画予約された番組を繰り返して録画する予約録画機能を有するデジタル記録再生装置において、外部から命令を入力する入力手段と、前記入力手段に入力される再生命令に基づいて、前記録画領域に録画された番組を再生するとともに、当該番組を再生したことを示す再生情報を前記記録媒体に記録する読み出し手段と、前記再生情報に基づいて、前記録画領域に録画された番組が既に再生済みか否かを判別する再生状態判別手段と、前記記録媒体にデータの書き込みを行なう書き込み手段と、装置全体を制御するＣＰＵと、を備え、前記ＣＰＵは、前記予め確保した録画領域に録画予約された番組を録画後、さらに繰り返して該番組を録画する場合には、前記再生状態判断手段の判断結果に基づいて、前記録画領域に録画された番組が再生済みであると判断した時には、前記予め確保した録画領域に録画予約された番組を上書きして録画し、前記録画領域に録画された番組が未再生であると判断した時には、新たな録画領域を確保して該新たな録画領域に該番組を録画することを特徴とするものである。
【０００５】
また、本発明にかかるデジタル記録再生装置は、前記読み出し手段が、前記新たに確保された録画領域に録画された番組が再生された後に、当該録画領域を開放することを特徴とするものである。
【０００６】
また、本発明にかかるデジタル記録再生装置は、前記記録媒体が、録画済み番組の録画日付を保持し、前記録画領域に録画された番組が未再生であると判断された場合において、新たな記憶領域を確保できないときには、前記ＣＰＵが、前記録画日付の古い番組が録画されている録画領域上に、録画予約された番組を上書きして録画することを特徴とするものである。
【０００７】
また、本発明にかかるデジタル記録再生装置は、ランダムアクセス可能な記録媒体内に、定期的に決められた時間帯に放送される番組を繰り返して録画するための録画領域を予め確保し、該確保した録画領域に対して録画予約された番組を繰り返して録画する予約録画機能を有するデジタル記録再生装置において、外部から命令を入力する入力手段と、前記入力手段に入力される再生命令に基づいて、前記録画領域に録画された番組を再生するとともに、当該番組を再生したことを示す再生情報を前記記録媒体に記録する読み出し手段と、前記再生情報に基づいて、前記録画領域に録画された番組が既に再生済みか否かを判別する再生状態判別手段と、前記記録媒体にデータの書き込みを行なう書き込み手段と、装置全体を制御するＣＰＵと、を備え、前記ＣＰＵは、前記予め確保された録画領域とは別に、前記予め確保された録画領域と同じ録画時間を有する１以上の予備の録画領域を予め前記記録媒体中に確保し、前記予め確保した録画領域に録画予約された番組を録画後、さらに繰り返して該番組を録画する場合には、前記ＣＰＵが前記再生状態判断手段の判断結果に基づいて、前記録画領域に録画された番組が再生済みであると判断した時には、前記予め確保した録画領域に録画予約された番組を上書きして録画し、前記録画領域に録画された番組が未再生であると判断した時には、前記１以上の予備の録画領域の何れかに、該番組を録画することを特徴とするものである。
【０００８】
また、本発明にかかるデジタル記録再生装置は、前記記録媒体が、録画済み番組の録画日付を保持し、前記録画領域及び前記１以上の予備の録画領域のすべてに番組が録画され、録画された番組のすべてが未再生の場合には、前記ＣＰＵが、前記録画日付の古い番組が録画されている録画領域上に、録画予約された番組を上書きして録画することを特徴とするものである。
【０００９】
また、本発明にかかるデジタル記録再生装置は、ランダムアクセス可能な記録媒体内に、定期的に決められた時間帯に放送される番組を繰り返して録画するための録画領域を予め確保し、該確保した録画領域に対して録画予約された番組を繰り返して録画する予約録画機能を有するデジタル記録再生装置において、外部から命令を入力する入力手段と、前記入力手段に入力される再生命令に基づいて、前記録画領域に録画された番組を再生するとともに、当該番組を再生したことを示す再生情報を前記記録媒体に記録する読み出し手段と、前記再生情報に基づいて、前記録画領域に録画された番組が既に再生済みか否かを判別する再生状態判別手段と、前記記録媒体にデータの書き込みを行なう書き込み手段と、装置全体を制御するＣＰＵと、を備え、前記ＣＰＵは、前記予め確保された録画領域とは別に、繰り返し録画予約用に共通の一定の記憶容量を有する１以上の共通録画領域を予め前記記録媒体中に確保し、前記予め確保した録画領域に録画予約された番組を録画後、さらに繰り返して該番組を録画する場合には、前記再生状態判断手段の判断結果に基づいて、前記ＣＰＵが前記録画領域に録画された番組が再生済みであると判断した時には、前記予め確保した録画領域に録画予約された番組を上書きして録画し、前記録画領域に録画された番組が未再生であると判断した時には、前記１以上の共通録画領域の何れかに録画予約された番組が収まるように該番組をビットレートを変更して録画することを特徴とするものである。
【００１０】
また、本発明にかかるデジタル記録再生装置は、前記記録媒体が、録画済み番組の録画日付を保持し、前記録画領域及び前記１以上の共通録画領域のすべてに番組が録画され、録画された番組のすべてが未再生の場合には、前記ＣＰＵが、前記録画日付の古い番組が録画されている録画領域上に、録画予約された番組を上書きして録画することを特徴とするものである。
【００１１】
また、本発明にかかるデジタル記録再生装置は、定期的に決められた時間帯に放送される番組を繰り返し録画する際に、前記ＣＰＵが、前記入力手段に入力される命令に基づいて、一時的に、録画領域に録画された番組の上書き録画を行なわずに、毎回新たな録画領域を確保して録画予約された番組を録画することを特徴とするものである。
【００１２】
また、本発明にかかるデジタル記録再生装置は、前記記録媒体が、録画済み番組の録画日付を保持し、前記ＣＰＵは、前記毎回新たな録画領域を確保して録画予約された番組を録画する場合において、新たな録画領域を確保できないときには、前記録画日付の古い番組が録画されている録画領域上に、録画予約された番組を上書きして録画することを特徴とするものである。
【００１３】
【発明の実施の形態】
（実施の形態１）
以下に、本発明の実施の形態１によるデジタル記録再生装置について図面を参照して説明する。
図１は、本発明の実施の形態１によるデジタル記録再生装置の構成を示すブロック図である。
【００１４】
図１において、アンテナ１００は、テレビジョン信号の電波を受信する。チューナ１０１は、アンテナ１００で受信した電波からユーザによって指定されたチャンネルの電波を選択し、アナログのテレビジョン信号に復調してＡ／Ｄコンバータ１０２に与える。Ａ／Ｄコンバータ１０２は、アナログ信号をデジタル信号に変換して、映像信号をＭＰＥＧ２ビデオエンコーダ１０３に、音声信号をオーディオエンコーダ１０４に与える。ＭＰＥＧ２ビデオエンコーダ１０３は、映像信号を圧縮符号化しマルチプレクサ１０５に与える。オーディオエンコーダ１０４は、音声信号を圧縮符号化しマルチプレクサ１０５に与える。マルチプレクサ１０５は、与えられた映像信号と音声信号の各圧縮符号化されたストリームを多重化してＭＰＥＧ２のシステムストリームに変換する。
【００１５】
ハードディスク制御部１１０は、ハードディスク１１１に対してデータの書き込みを行なう書き込み部、及びデータの読み出しを行なう読み出し部を備える。ハードディスク１１１は、ランダムアクセス可能な記録媒体である。デマルチプレクサ１１２は、ハードディスク１１１から読み出されたＭＰＥＧ２ストリームを、映像信号のストリームと音声信号のストリームとに分離し、映像信号のストリームをＭＰＥＧ２ビデオデコーダ１１３に、音声信号のストリームをオーディオデコーダ１１４に与える。ＭＰＥＧ２ビデオデコーダ１１３は、映像信号のストリームをデコードしてＯＳＤコントローラ１１５に与える。オーディオデコーダ１１４は、音声信号のストリームをデコードしてＤ／Ａコンバータ１１６に与える。ＯＳＤコントローラ１１５は、ＯＳＤ画面とＭＰＥＧ２ビデオデコーダ１１３により与えられた映像とを合成してＤ／Ａコンバータ１１６に与える。Ｄ／Ａコンバータ１１６は、映像信号と音声信号をアナログ信号に変換して外部へ出力する。
【００１６】
ＣＰＵ１０６は、ハードディスク１１１に格納された録画番組が既に再生されたものであるか否かを判断する再生状態判断部（図示せず）として機能するとともに、装置全体を制御する。メモリ１０７は、ＣＰＵ１０６の作業領域として使用される。リアルタイムクロックモジュール１０９は、現在時刻を計時する。ユーザＩ／Ｆ１０８は、例えばリモコンからの入力や、操作キーからの入力をＣＰＵ１０６に与える。
【００１７】
図２は、本発明の実施の形態１によるデジタル記録再生装置の予約録画に関する予約録画管理情報を示す図である。かかる予約録画管理情報は、ハードディスク制御部１１０により作成、更新されるものであり、ランダムアクセス可能な記録媒体であるハードディスク１１１上に記録されている。
図２において、予約録画管理情報データ２０１は、予約録画設定情報２０２と録画済み番組情報２０３とから構成される。
【００１８】
予約録画設定情報２０２には、録画を行なう際に必要な情報である予約録画設定データ２０４が記録されており、予約録画設定データ２０４は、図示するように、録画日付、録画開始時刻、録画終了時刻、曜日、録画チャンネル、録画ビットレート、繰り返し録画モード、及び登録済み番組情報のアドレスからなる。なお、繰り返し録画モードとは、毎週同じ時間帯の番組を自動的に同じ領域に上書きして繰り返し録画するか否かを示す情報であり、繰り返し録画を行なう場合には「１」のフラグが、繰り返し録画を行なわず、新たな録画領域を確保して録画予約された番組を録画する通常の録画を行なう場合には「０」のフラグが付されている。
【００１９】
また、録画済み番組情報２０３には、既に録画された番組に関する情報である録画済み番組情報データ２０５が記録されており、録画済み番組情報データ２０５は、図示するように、録画された番組のタイトル、録画日付、録画位置開始アドレス、録画容量、録画ビットレート、録画された番組が再生されたかどうかを示す再生状態フラグ、及びリンクアドレスからなる。なお、録画済み番組が再生されたかどうかを示す再生状態フラグは、ハードディスク制御部１１０の読み出し部により、録画済み番組情報データ２０５を作成、あるいは更新するときに再生状態フラグがクリア（値０）され、ユーザーＩ／Ｆ１０８を介してハードディスク制御部１１０に録画済み番組の再生命令があったときに、再生状態フラグがセット（値１）される。
【００２０】
次に、本発明の実施の形態１によるデジタル記録再生装置の動作について説明する。
図３は、本発明の実施の形態１によるデジタル記録再生装置の予約録画の動作を説明するためのフローチャートである。
【００２１】
まず、ＣＰＵ１０６は、リアルタイムクロックモジュール１０９から現在の日付、時刻を読み込み（ステップＳ１）、ハードディスク１１１に記憶された予約録画設定情報領域２０２に設定されている予約録画設定データのうち、録画開始時刻が現在時刻と一致する予約があるかを調べる（ステップＳ２）。
【００２２】
一致する予約がある場合には、ＣＰＵ１０６は、図２に示す予約録画設定データ２０４の繰り返し録画モードが繰り返し録画になっているかを調べる（ステップＳ３）。そして、図２に示す予約録画設定データ２０４の繰り返し録画モードが繰り返し録画に設定されている場合には、予約録画設定データ２０４の録画済み番組情報のアドレスにハードディスク制御部１１０を介してアクセスする（ステップＳ４）。次に、ＣＰＵ１０６は、アクセスした録画済み番組情報データ２０５（図２参照）の再生情報フラグに基づいて、録画領域に録画されている番組が再生済み状態かどうかを調べる（ステップ５）。
【００２３】
そして、既に録画領域に録画されている番組が再生済みなら該録画領域にハードディスク制御部１１０の書き込み部を用いて録画予約された番組を上書き録画し（ステップＳ６）、対応する録画済み番組情報２０５の内容を、新たに録画した番組の情報に更新する（ステップＳ７）。一方で、既に録画されている番組が再生済み状態でない場合には、ハードディスク１１１内に新たな録画領域を確保する（ステップＳ８）。
【００２４】
新たな録画領域を確保できた場合には、新たな録画済み番組情報データ２０５（図２参照）を作成し、新たに作成した録画済み番組情報データ２０５の格納位置を示すアドレスを、図２に示す予約録画設定データ２０４の録画済み番組情報のアドレスとして設定する（ステップＳ９）。その後、確保した録画領域にハードディスク制御部１１０の書き込み部を用いて録画予約された番組を録画する（ステップＳ１０）。なお、この場合において、新たに確保された録画領域に録画された番組がハードディスク制御部１１０の読み出し部により再生された後には、当該録画領域を開放するようにすれば、ハードディスク１１１の記憶容量を有効に利用することができる効果が得られる。
【００２５】
ステップＳ８で新たな録画領域を確保できなかった場合には、ハードディスク１１１に記憶されている録画済み番組情報２０３（図２参照）の中で、一番録画日付の古い録画日付を有する録画領域に、ハードディスク制御部１１０の書き込み部を用いて録画予約された番組を上書きして録画し（ステップＳ１１）、対応する録画済み番組情報２０５の内容を、新たに録画した番組の情報に更新する（ステップＳ１２）。
【００２６】
また、ステップＳ３で繰り返し録画モードが繰り返し録画でない場合には、通常予約録画として、新たな録画領域を確保し（ステップＳ１４）、確保した領域に、ハードディスク制御部１１０の書き込み部を用いて予約番組を録画して（ステップＳ１５）、録画済み番組情報データを作成する（ステップＳ１６）。
【００２７】
次に、前述したデジタル記録再生装置の動作について、具体例をあげて説明する。
図４は、本発明の実施の形態１によるデジタル記録再生装置における予約録画設定の一例を示す図である。かかる予約録画設定は、ユーザＩ／Ｆ１０８を介してユーザにより行なわれる。図示するように、予約録画設定は、第一番目の予約録画設定が、金曜日の２１：００から２２：００まで１２チャンネルの番組を繰り返し録画する、というものであり、第二番目の予約録画設定が、土曜日の１７：００から１７：３０まで１０チャンネルの番組を繰り返し録画する、というものであり、第三番目の予約録画設定が、１月２９日の火曜日の１９：００から２１：００まで６チャンネルの番組を録画する、というものである。また、図５（ａ）、（ｂ）、（ｃ）は、図４に示すように予約録画設定されている時の予約録画設定データ２０４の内容を示し、図６（ａ）、（ｂ）は、既にハードディスク１１１に録画されている番組の情報である録画済み番組情報データ２０５の内容を示す図である。また、図７は、ハードディスクに記憶されているデータの登録位置を示す図であり、図７（ａ）は、本具体例における番組録画前のハードディスク内の状態を示す図であり、図７（ｂ）は、本具体例における番組録画後のハードディスク内の状態を示す図である。
【００２８】
そして、例えば、図４に示す第１番目の予約録画設定の時刻になったとすると、ＣＰＵ１０６は、ハードディスク１１１に記憶されている第１番目の予約録画設定にアクセスし、繰り返し録画モードに繰り返し録画を示す「１」のフラグが立っているか否かを調べる。
【００２９】
第１番目の予約録画設定は、図５に示すように、繰り返し録画モードに繰り返し録画を示す「１」のフラグが立っているため、第１番目の予約録画設定に設定されている録画済み番組情報のアドレス「ａｄｄｒ１」にアクセスし、ハードディスク１１１のａｄｄｒ１に記憶されている（図７参照）、録画済み番組情報１を取得する。
【００３０】
次に、ＣＰＵ１０６は、取得した録画済み番組情報１の再生状態に録画済み番組が再生されたことを示す「１」のフラグが立っているか否かを調べる。
録画済み番組情報１は、図６に示すように、再生状態に未再生を示す「０」のフラグが立っているため、図７（ｂ）に示すように、ハードディスク１１１内の空き領域に新たな録画領域１ａを確保して、図６（ｂ）に示すように新たな録画済み番組情報データ１ａを作成し、図６（ａ）のリンクアドレスをＮＵＬＬからａｄｄｒ５に書き換える。そして、新たに確保した録画領域１ａにハードディスク制御部１１０の書き込み部を用いて第１番目の予約録画設定で示される番組を録画する。
【００３１】
このように、本発明の実施の形態１によるデジタル記録再生装置によれば、繰り返し予約録画を行う際に、既に録画領域に録画されている番組が再生済みであるか否かを判断し、未再生の場合には、別の録画領域を確保して、予約されている番組を録画することにより、視聴者が録画済み番組を視聴し忘れても、録画済み番組上に新たな番組が上書きされることを軽減することができる。
【００３２】
（実施の形態２）
以下に、本発明の実施の形態２によるデジタル記録再生装置について図面を参照して説明する。本発明の実施の形態２によるデジタル記録再生装置は、繰り返し録画を行なう際の番組の録画領域を予め２つ設け、該２つの録画領域のうち、再生済みの録画番組が録画されている録画領域に対して録画予約された番組を録画するものである。
【００３３】
図１は、本発明の実施の形態２によるデジタル記録再生装置の構成を示すブロック図である。図１に示す各構成要素については前述した実施の形態１によるディジタル記録再生装置と同様であるため、同じ符号を付し、ここでは説明を省略する。
【００３４】
図８は、本発明の実施の形態２によるデジタル記録再生装置のハードディスク内の状態を示す図であり、図８に示す予約録画設定１から３が、それぞれ前記図４に示した予約録画設定である場合のハードディスク１１１内の状態を示したものである。
【００３５】
図８に示すように、ハードディスク１１１内には、繰り返し録画を指示する予約録画設定１、及び２に対して、それぞれ予約された番組を録画するための録画領域１、２と、予備の録画領域である１ａ、２ａとが予め確保され、それぞれの録画領域に対応する録画済み番組情報１、１ａ、２、２ａが設けられている。
【００３６】
次に、本発明の実施の形態２によるデジタル記録再生装置の動作について説明する。
図９は、本発明の実施の形態２によるデジタル記録再生装置における予約録画の動作を説明するためのフローチャートである。
【００３７】
まず、ＣＰＵ１０６は、リアルタイムクロックモジュール１０９から現在の日付、時刻を読み込み（ステップＳ２０）、ハードディスク１１１に記憶された予約録画設定情報領域２０２に設定されている予約録画設定データのうち、録画開始時刻が現在時刻と一致する予約があるかを調べる（ステップＳ２１）。
【００３８】
一致する予約がある場合には、ＣＰＵ１０６は、図２に示す予約録画設定データ２０４の繰り返し録画モードが繰り返し録画になっているかを調べる（ステップＳ２２）。そして、図２に示す予約録画設定データ２０４の繰り返し録画モードが繰り返し録画に設定されている場合には、予約録画設定データ２０４の録画済み番組情報のアドレスにハードディスク制御部１１０を介してアクセスする（ステップＳ２３）。なお、この予約録画設定データの録画済み番組情報のアドレスには、図８に示す録画領域と、予備の録画領域にそれぞれ対応する２つの録画済み番組情報のアドレスが格納されており、ＣＰＵ１０６は、２つの録画済み番組情報のアドレスにアクセスすることとなる。次に、ＣＰＵ１０６は、アクセスした２つの録画済み番組情報データ２０５（図２参照）の再生情報フラグに基づいて、録画領域、或いは予備の録画領域に録画されている番組が再生済み状態かどうかを調べる（ステップ２４）。
【００３９】
そして、録画領域、或いは予備の録画領域の何れかに録画されている番組が再生済みなら、再生済みである録画領域に対して、ハードディスク制御部１１０の書き込み部を用いて録画予約された番組を上書き録画し（ステップＳ２５）、対応する録画済み番組情報２０５の内容を、新たに録画した番組の情報に更新する（ステップＳ２６）。なお、録画領域、及び予備の録画領域に録画されている番組が何れも再生済みの場合には、録画領域に録画されている番組に、録画予約されている番組を上書きして録画するものとする。一方で、何れの録画領域に録画されている番組も再生済み状態でない場合には、録画領域、或いは予備の録画領域のうちで、録画済み番組情報データ２０５の録画日時が古い録画領域に対して、ハードディスク制御部１１０の書き込み部を用いて録画予約された番組を上書き録画し（ステップＳ２７）、対応する録画済み番組情報２０５の内容を、新たに録画した番組の情報に更新する（ステップＳ２８）。
【００４０】
また、ステップＳ２２で繰り返し録画モードが繰り返し録画でない場合には、通常予約録画として、新たな録画領域を確保し（ステップＳ２９）、確保した領域にハードディスク制御部１１０の書き込み部を用いて予約番組を録画して（ステップＳ３０）、録画済み番組情報データを作成する（ステップＳ３１）。
【００４１】
このように、本発明の実施の形態２によるデジタル記録再生装置によれば、繰り返し予約録画を行なう旨の設定がなされた際には、予め番組を録画するための領域を２つ設け、何れか１つの録画領域に録画された番組が未再生の場合には録画を行なう番組を他の録画領域に録画するようにしたことにより、視聴者が録画済み番組を視聴し忘れても、録画済み番組上に新たな番組が上書きされることを軽減することができる。
【００４２】
また、予め２つの録画領域を設け、該２つの録画領域内の何れかに、繰り返し録画予約がなされた番組を録画するようにしたことにより、繰り返し録画を行なうために必要なハードディスク内の記録容量を一定に抑えることが可能となる。
【００４３】
なお、本発明の実施の形態２によるデジタル記録再生装置では、繰り返し予約録画設定がなされた番組を録画するために予め２つの録画領域を設けるものについて説明したが、予め設ける録画領域の数は幾つであってもよく、繰り返し録画の予約録画設定がなされた番組を録画するための録画領域をより多く設けた場合には、録画済み番組上に新たな番組が上書きされることをさらに軽減することができる。
【００４４】
（実施の形態３）
以下に、本発明の実施の形態３によるデジタル記録再生装置について図面を参照して説明する。本発明の実施の形態３によるデジタル記録再生装置は、繰り返し録画を行なう際の番組の録画領域として、繰り返し録画の予約録画設定にそれぞれ対応する録画領域とは別に、繰り返し録画の予約録画設定に共通の共通録画領域を予め設け、録画領域に録画されている録画番組が未再生の場合には、前記共通録画領域に、録画予約された番組を録画するものである。
【００４５】
図１は、本発明の実施の形態３によるデジタル記録再生装置の構成を示すブロック図である。なお、図１に示す各構成要素については前述した実施の形態１によるディジタル記録再生装置と同様であるため、同じ符号を付し、ここでは説明を省略する。
【００４６】
図１０は、本発明の実施の形態３によるデジタル記録再生装置のハードディスク内の状態を示す図であり、図１０に示す予約録画設定１から３が、それぞれ前記図４に示した予約録画設定である場合のハードディスク１１１内の状態を示したものである。
【００４７】
図１０に示すように、ハードディスク１１１内には、繰り返し録画を指示する予約録画設定１に対して録画領域１が、繰り返し録画を指示する予約録画設定２に対して録画領域２がそれぞれ確保されているとともに、繰り返し予約録画に共通の録画領域として共通録画領域が確保され、それぞれの録画領域に対応する録画済み番組情報１、２、及び共通録画領域の録画済み番組情報が設けられている。
【００４８】
次に、本発明の実施の形態３によるデジタル記録再生装置における動作について説明する。
図１１は、本発明の実施の形態３によるデジタル記録再生装置の予約録画の動作を説明するためのフローチャートである。
【００４９】
まず、ＣＰＵ１０６は、リアルタイムクロックモジュール１０９から現在の日付、時刻を読み込み（ステップＳ４０）、ハードディスク１１１に記憶された予約録画設定情報領域２０２に設定されている予約録画設定データのうち、録画開始時刻が現在時刻と一致する予約があるかを調べる（ステップＳ４１）。
【００５０】
一致する予約がある場合には、ＣＰＵ１０６は、図２に示す予約録画設定データ２０４の繰り返し録画モードが繰り返し録画になっているかを調べる（ステップＳ４２）。そして、図２に示す予約録画設定データ２０４の繰り返し録画モードが繰り返し録画に設定されている場合には、予約録画設定データ２０４の録画済み番組情報のアドレスにハードディスク制御部１１０を介してアクセスする。（ステップＳ４３）。次に、ＣＰＵ１０６は、アクセスした録画済み番組情報データ２０５（図２参照）の再生情報フラグに基づいて、録画領域に録画されている番組が再生済み状態かどうかを調べる（ステップ４４）。
【００５１】
そして、既に録画領域に録画されている番組が再生済みなら該録画領域に、ハードディスク制御部１１０の書き込み部を用いて録画予約された番組を上書きして録画し（ステップＳ４５）、対応する録画済み番組情報２０５の内容を、新たに録画した番組の情報に更新する（ステップＳ４６）。
【００５２】
一方で、既に録画されている番組が再生済み状態でない場合には、ＣＰＵ１０６は、ハードディスク１１１内に格納されている共通録画領域の録画済み番組情報にハードディスク制御部１１０を介してアクセスし（ステップＳ４７）、該共通録画領域の録画済み番組情報の再生情報フラグに基づいて、共通録画領域に録画されている番組が再生済み状態かどうかを調べる（ステップ４８）。
【００５３】
共通録画領域に録画されている番組が再生済みなら、ハードディスク制御部１１０の書き込み部を用い、共通録画領域のサイズと録画予約された番組の録画時間及び録画ビットレートから、共通録画領域内に録画予約された番組が収まるように、録画ビットレートを変更して録画予約がなされた番組を上書き録画し（ステップＳ４９）、対応する共通録画領域の録画済み番組情報の内容を、新たに録画した番組の情報に更新する（ステップＳ５０）。一方で、共通録画領域に録画されている番組が再生済み状態でない場合には、録画領域或いは共通録画領域のうちで、録画済み番組情報データの録画日時が古い録画領域に対して、ハードディスク制御部１１０の書き込み部を用いて録画予約された番組を上書き録画し（ステップＳ５１）、対応する録画済み番組情報の内容を、新たに録画した番組の情報に更新する（ステップＳ５２）。
【００５４】
また、ステップＳ４２で繰り返し録画モードが繰り返し録画でない場合には、通常予約録画として、新たな録画領域を確保し（ステップＳ５３）、確保した領域にハードディスク制御部１１０の書き込み部を用いて予約番組を録画して（ステップＳ５４）、録画済み番組情報データを作成する（ステップＳ５５）。
【００５５】
このように本発明の実施の形態３によるデジタル記録再生装置によれば、繰り返し予約録画を行なう旨の設定がなされた際に、予約番組を録画するための録画領域とは別に、繰り返し録画設定のなされた番組予約共通の共通録画領域を設けたことにより、録画領域に録画された番組が未再生の場合には、録画を行なう番組を共通の録画領域に録画することができ、視聴者が録画済み番組を視聴し忘れても、録画済み番組上に新たな番組が上書きされることを軽減することができる。
【００５６】
また、繰り返し予約録画を行なう際に、予め、繰り返し録画設定のなされた番組予約共通の共通録画領域を設け、録画領域に録画された番組が未再生の場合には、該共通録画領域に、繰り返し録画予約がなされた番組を録画するようにしたことにより、繰り返し録画を行なうために必要なハードディスク内の記録容量を一定に抑えることが可能となる。
【００５７】
なお、本発明の実施の形態３によるデジタル記録再生装置では、繰り返し予約録画設定がなされた番組を録画するために予め１つ共通録画領域を設けておくものについて説明したが、予め設ける共通録画領域の数は幾つであってもよく、より多くの共通録画領域を設けた場合には、録画済み番組上に新たな番組が上書きされることをさらに軽減することができる。
【００５８】
（実施の形態４）
以下に、本発明の実施の形態４によるデジタル記録再生装置について図面を参照して説明する。本発明の実施の形態４によるデジタル記録再生装置は、一時的に、録画領域に録画された番組の上書き録画を行なわずに、毎回新たな録画領域を確保して録画予約された番組を録画する機能を有するものである。
【００５９】
図１は、本発明の実施の形態４によるデジタル記録再生装置の構成を示すブロック図である。図１に示す各構成要素については前述した実施の形態１によるディジタル記録再生装置と同様であるため、同じ符号を付し、ここでは説明を省略する。
【００６０】
図１２は、本発明の実施の形態４によるデジタル記録再生装置における予約録画設定の一例を示す図である。
図１２に示すように、発明の実施の形態４によるデジタル記録再生装置の予約録画設定は、繰り返し録画を行なう予約録画設定中に、上書き録画を行なわずに、毎回録画領域を新たに確保して録画予約された番組を録画する旨を指示する上書き録画解除設定が設けられたものである。ユーザーは旅行等で長期不在になることが予め分かっている場合、繰り返し録画予約を行なう際に、上書き録画解除設定をセットすることで、前に録画した番組上に録画予約された番組を上書きして録画せず、前に録画した番組が上書きして消されてしまうことを防止できる。
【００６１】
次に、本発明の実施の形態４によるデジタル記録再生装置の動作について説明する。以下、図１３を用いて説明するデジタル記録再生装置の動作は、予約録画設定の繰り返し録画モードが繰り返し録画に設定されている場合に行なわれる動作であり、繰り返し録画モードが繰り返し録画に設定されていない場合の動作については、図３で示したステップＳ１４からステップＳ１６と同様であるため、ここでは説明を省略する。
【００６２】
図１３は、本発明の実施の形態４によるデジタル記録再生装置における繰り返し録画の動作を説明するためのフローチャートである。
予約録画設定の繰り返し録画モードが繰り返し録画に設定されている場合には、ＣＰＵ１０６は、予約録画設定に上書き録画解除設定がセットされているか否かを調べる（ステップＳ６１）。
【００６３】
予約録画設定に上書き録画解除設定がセットされている場合には、ハードディスク１１１内に新たな録画領域を確保する。（ステップＳ６２）
新たな録画領域が確保できた場合には、確保した録画領域にハードディスク制御部１１０の書き込み部を用いて予約番組を録画して（ステップＳ６３）、録画済み番組情報データを作成する（ステップＳ６４）。
【００６４】
一方、ハードディスク１１１内に新たな録画領域を確保できなかった場合には、ハードディスクに録画されている録画済み番組情報から最も古い録画日時を有する録画領域を検索し、該録画領域に対して、ハードディスク制御部１１０の書き込み部を用いて録画予約された番組を上書きして録画する（ステップＳ６５）。なお、録画予約された番組が上記最も古い録画日時を有する録画領域に収まらない場合には、録画領域に収まるように録画ビットレートを低くして録画するようにしても良いし、他の古い録画日時を有する録画領域上に上書きしても良い。そして、録画予約された番組を録画後、録画済み番組情報を作成する（ステップＳ６６）。
【００６５】
また、予約録画設定に上書き録画解除設定がセットされていない場合には、ステップＳ４からステップＳ１２までの処理を行なうことになるが、かかるステップＳ４からステップＳ１２までの処理は前記図３で説明したものと同じであるため、同一の動作については同じ番号を付し、ここでは説明を省略する。
【００６６】
このように、繰り返し録画モードにおいて、一時的に上書き録画を行なうことを解除できるようにすることにより、ユーザーは旅行等で長期不在になることが予め分かっている場合に、既に録画した番組が上書きされないように上書き録画を解除することができ、繰り返し録画を行なった場合であっても、録画した番組をすべて保存することが簡単にできる。
【００６７】
【発明の効果】
以上のように、本発明のデジタル記録再生装置によれば、ランダムアクセス可能な記録媒体内に、定期的に決められた時間帯に放送される番組を繰り返して録画するための録画領域を予め確保し、該確保した録画領域に対して録画予約された番組を繰り返して録画する予約録画機能を有するデジタル記録再生装置において、外部から命令を入力する入力手段と、前記入力手段に入力される再生命令に基づいて、前記録画領域に録画された番組を再生するとともに、当該番組を再生したことを示す再生情報を前記記録媒体に記録する読み出し手段と、前記再生情報に基づいて、前記録画領域に録画された番組が既に再生済みか否かを判別する再生状態判別手段と、前記記録媒体にデータの書き込みを行なう書き込み手段と、装置全体を制御するＣＰＵと、を備え、前記ＣＰＵは、前記予め確保した録画領域に録画予約された番組を録画後、さらに繰り返して該番組を録画する場合には、前記再生状態判断手段の判断結果に基づいて、前記録画領域に録画された番組が再生済みであると判断した時には、前記予め確保した録画領域に録画予約された番組を上書きして録画し、前記録画領域に録画された番組が未再生であると判断した時には、新たな録画領域を確保して該新たな録画領域に該番組を録画することにより、視聴者が録画済み番組を視聴し忘れても、録画済み番組上に新たな番組が上書きされることを軽減することができる効果が得られる。
【００６８】
また、本発明のデジタル記録再生装置によれば、前記読み出し手段が、前記新たに確保された録画領域に録画された番組が再生された後に、当該録画領域を開放することにより、記録媒体を有効に使用することができる効果が得られる。
【００６９】
また、本発明のデジタル記録再生装置によれば、前記記録媒体が、録画済み番組の録画日付を保持し、前記録画領域に録画された番組が未再生であると判断された場合において、新たな記憶領域を確保できないときには、前記ＣＰＵが、前記録画日付の古い番組が録画されている録画領域上に、録画予約された番組を上書きして録画することにより、録画領域を確保できなかった場合でも録画予約された番組を録画領域に録画できるという効果が得られる。
【００７０】
また、本発明のデジタル記録再生装置によれば、ランダムアクセス可能な記録媒体内に、定期的に決められた時間帯に放送される番組を繰り返して録画するための録画領域を予め確保し、該確保した録画領域に対して録画予約された番組を繰り返して録画する予約録画機能を有するデジタル記録再生装置において、外部から命令を入力する入力手段と、前記入力手段に入力される再生命令に基づいて、前記録画領域に録画された番組を再生するとともに、当該番組を再生したことを示す再生情報を前記記録媒体に記録する読み出し手段と、前記再生情報に基づいて、前記録画領域に録画された番組が既に再生済みか否かを判別する再生状態判別手段と、前記記録媒体にデータの書き込みを行なう書き込み手段と、装置全体を制御するＣＰＵと、を備え、前記ＣＰＵは、前記予め確保された録画領域とは別に、前記予め確保された録画領域と同じ録画時間を有する１以上の予備の録画領域を予め前記記録媒体中に確保し、前記予め確保した録画領域に録画予約された番組を録画後、さらに繰り返して該番組を録画する場合には、前記ＣＰＵが前記再生状態判断手段の判断結果に基づいて、前記録画領域に録画された番組が再生済みであると判断した時には、前記予め確保した録画領域に録画予約された番組を上書きして録画し、前記録画領域に録画された番組が未再生であると判断した時には、前記１以上の予備の録画領域の何れかに、該番組を録画することにより、視聴者が録画済み番組を視聴し忘れても、録画済み番組上に新たな番組が上書きされることを軽減することができる効果が得られる。
【００７１】
また、本発明のデジタル記録再生装置によれば、前記記録媒体が、録画済み番組の録画日付を保持し、前記録画領域及び前記１以上の予備の録画領域のすべてに番組が録画され、録画された番組のすべてが未再生の場合には、前記ＣＰＵが、前記録画日付の古い番組が録画されている録画領域上に、録画予約された番組を上書きして録画することにより、録画領域を確保できなかった場合でも録画予約された番組を録画領域に録画できるという効果が得られる。
【００７２】
また、本発明のデジタル記録再生装置によれば、ランダムアクセス可能な記録媒体内に、定期的に決められた時間帯に放送される番組を繰り返して録画するための録画領域を予め確保し、該確保した録画領域に対して録画予約された番組を繰り返して録画する予約録画機能を有するデジタル記録再生装置において、外部から命令を入力する入力手段と、前記入力手段に入力される再生命令に基づいて、前記録画領域に録画された番組を再生するとともに、当該番組を再生したことを示す再生情報を前記記録媒体に記録する読み出し手段と、前記再生情報に基づいて、前記録画領域に録画された番組が既に再生済みか否かを判別する再生状態判別手段と、前記記録媒体にデータの書き込みを行なう書き込み手段と、装置全体を制御するＣＰＵと、を備え、前記ＣＰＵは、前記予め確保された録画領域とは別に、繰り返し録画予約用に共通の一定の記憶容量を有する１以上の共通録画領域を予め前記記録媒体中に確保し、前記予め確保した録画領域に録画予約された番組を録画後、さらに繰り返して該番組を録画する場合には、前記再生状態判断手段の判断結果に基づいて、前記ＣＰＵが前記録画領域に録画された番組が再生済みであると判断した時には、前記予め確保した録画領域に録画予約された番組を上書きして録画し、前記録画領域に録画された番組が未再生であると判断した時には、前記１以上の共通録画領域の何れかに録画予約された番組が収まるように該番組をのビットレートを変更して録画することにより、視聴者が録画済み番組を視聴し忘れても、録画済み番組上に新たな番組が上書きされることを軽減することができる効果が得られる。
【００７３】
また、本発明のデジタル記録再生装置によれば、前記記録媒体が、録画済み番組の録画日付を保持し、前記録画領域及び前記１以上の共通録画領域のすべてに番組が録画され、録画された番組のすべてが未再生の場合には、前記ＣＰＵが、前記録画日付の古い番組が録画されている録画領域上に、録画予約された番組を上書きして録画することにより、録画領域を確保できなかった場合でも録画予約された番組を録画領域に録画できるという効果が得られる。
【００７４】
また、本発明のデジタル記録再生装置によれば、定期的に決められた時間帯に放送される番組を繰り返し録画する際に、前記ＣＰＵが、前記入力手段に入力される命令に基づいて、一時的に、録画領域に録画された番組の上書き録画を行なわずに、毎回新たな録画領域を確保して録画予約された番組を録画することにより、ユーザが上書き録画を許すまで、既に録画された番組が上書きして削除されることなく、録画予約した番組を録画することが可能となる効果が得られる。
【００７５】
また、本発明のデジタル記録再生装置によれば、前記記録媒体が、録画済み番組の録画日付を保持し、前記ＣＰＵは、前記毎回新たな録画領域を確保して録画予約された番組を録画する場合において、新たな録画領域を確保できないときには、前記録画日付の古い番組が録画されている録画領域上に、録画予約された番組を上書きして録画することにより、録画領域を確保できなかった場合でも録画予約された番組を録画領域に録画できるという効果が得られる。
【図面の簡単な説明】
【図１】本発明にかかるデジタル記録再生装置の構成を示すブロック図である。
【図２】本発明の実施の形態１によるデジタル記録再生装置の予約録画管理情報データを示す図である。
【図３】本発明の実施の形態１によるデジタル記録再生装置の予約録画の動作を説明するためのフローチャートである。
【図４】本発明の実施の形態１によるデジタル記録再生装置の予約録画設定の一例を示す図である。
【図５】（ａ）第１番目の予約録画設定データの具体的な内容を示す図である。（ｂ）第２番目の予約録画設定データの具体的な内容を示す図である。（ｃ）第３番目の予約録画設定データの具体的な内容を示す図である。
【図６】（ａ）第１番目の予約録画設定に対応する録画済み番組情報データの具体的な内容を示す図である。（ｂ）第２番目の予約録画設定に対応する録画済み番組情報データの具体的な内容を示す図である。
【図７】（ａ）本発明の実施の形態１における具体例での番組録画前のハードディスク内の状態を示す図である。（ｂ）本発明の実施の形態１における具体例での番組録画後のハードディスク内の状態を示す図である。
【図８】本発明の実施の形態２によるデジタル記録再生装置のハードディスク内の状態を示す図である。
【図９】本発明の実施の形態２によるデジタル記録再生装置の予約録画の動作を説明するためのフローチャートである。
【図１０】本発明の実施の形態３によるデジタル記録再生装置のハードディスク内の状態を示す図である。
【図１１】本発明の実施の形態３によるデジタル記録再生装置の予約録画の動作を説明するためのフローチャートである。
【図１２】本発明の実施の形態４によるデジタル記録再生装置の予約録画設定の一例を示す図である。
【図１３】本発明の実施の形態４によるデジタル記録再生装置の繰り返し録画の動作を説明するためのフローチャートである。
【符号の説明】
１００　アンテナ
１０１　チューナ
１０２　Ａ／Ｄ変換器
１０３　ＭＰＥＧ２ビデオエンコーダ
１０４　オーディオエンコーダ
１０５　マルチプレクサ
１０６　ＣＰＵ
１０７　メモリ
１０８　ユーザＩ／Ｆ
１０９　リアルタイムクロックモジュール
１１０　ハードディスク制御部
１１１　ハードディスク
１１２　デマルチプレクサ
１１３　ＭＰＥＧ２ビデオデコーダ
１１４　オーディオデコーダ
１１５　ＯＳＤコントローラ
１１６　Ｄ／Ａコンバータ
２０１　予約録画管理情報データ
２０２　予約録画設定情報
２０３　録画済み番組情報
２０４　予約録画設定データ
２０５　録画済み番組情報データ
【図１】
2004088634.tif 000003
【図２】
2004088634.tif 000004
【図３】
2004088634.tif 000005
【図４】
2004088634.tif 000006
【図５】
2004088634.tif 000007
【図６】
2004088634.tif 000008
【図７】
2004088634.tif 000009
【図８】
2004088634.tif 000010
【図９】
2004088634.tif 000011
【図１０】
2004088634.tif 000012
【図１１】
2004088634.tif 000013
【図１２】
2004088634.tif 000014
【図１３】
2004088634.tif 000015